(57)【要約】【課題】  集中排気機能を確実かつ良好に発揮させ得る排気器具を提供する。【解決手段】  排気対象域１の域内気体Ａｚを吸入させる排気口２を形成するとともに、排気対象域１に対して補助気体Ａｓを排気口２の周縁近傍から排気口２の開口面に沿う方向で排気口外向きに噴出させる補助噴出口１１を設ける排気器具において、補助噴出口１１を排気口２の周方向全体に連続的に又は分散させて配置し、排気口２の周方向全体について補助噴出口１１の補助気体噴出向きを排気口２の開口面に対し同じ側へ傾斜させる。【選択図】        図１
2007100978.tif 000002
【特許請求の範囲】
【請求項１】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
前記補助噴出口を前記排気口の周方向全体に連続的に又は分散させて配置し、前記排気口の周方向全体について前記補助噴出口の補助気体噴出向きを前記排気口の開口面に対し同じ側へ傾斜させてある排気器具。
【請求項２】
前記排気口の周方向全体について前記補助噴出口の補助気体噴出向きを、前記排気口の開口面に対し同じ側へ傾斜させる状態と前記排気口の開口面に対し平行にする状態とに切り換え自在にしてある請求項１記載の排気器具。
【請求項３】
前記排気口の周方向全体について前記排気口の開口面に対する前記補助気体噴出向きの傾斜角度を同一方向へ調整自在にしてある請求項１又は２記載の排気器具。
【請求項４】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
前記補助噴出口を前記排気口の周方向における一部領域とそれに対向する対向領域とに配置し、前記補助噴出口の補助気体噴出向きを前記排気口の開口面に対し傾斜させるとともに、その傾斜角度を前記一部領域と前記対向領域とで互いに相違させてある排気器具。
【請求項５】
前記一部領域と前記対向領域との少なくとも一方について前記補助噴出口の補助気体噴出向きを、前記排気口の開口面に対し傾斜させる状態と前記排気口の開口面に対し平行にする状態とに切り換え自在にしてある請求項４記載の排気器具。
【請求項６】
前記一部領域と前記対向領域との少なくとも一方について前記排気口の開口面に対する前記補助気体噴出向きの傾斜角度を調整自在にしてある請求項４又は５記載の排気器具。
【請求項７】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
前記補助噴出口を前記排気口の周方向全体に連続的に又は分散させて配置し、前記排気口の周方向全体について前記補助噴出口の補助気体噴出風量又は補助気体噴出速度を同一方向へ調整自在にしてある排気器具。
【請求項８】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
前記補助噴出口を前記排気口の周方向における一部領域とそれに対向する対向領域とに配置し、前記補助噴出口の補助気体噴出風量又は補助気体噴出速度を前記一部領域と前記対向領域とで互いに相違させてある排気器具。
【請求項９】
前記補助噴出口の補助気体噴出風量又は補助気体噴出速度を、前記一部領域と前記対向領域とで互いに相違させる状態と互いに等しくする状態とに切り換え自在にしてある請求項８記載の排気器具。
【請求項１０】
前記一部領域と前記対向領域との少なくとも一方について前記補助噴出口の補助気体噴出風量又は補助気体噴出速度を調整自在にしてある請求項８又は９記載の排気器具。
【請求項１１】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
多数の前記補助噴出口を前記排気口の周方向全体に分散させて配置し、前記補助噴出口各々の補助気体噴出向きを前記排気口の開口面に対する垂直方向へ個別に調整自在にしてある、又は、前記補助噴出口各々の補助気体噴出風量又は補助気体噴出速度を個別に調整自在にしてある排気器具。
【請求項１２】
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具であって、
前記補助噴出口を前記排気口の周方向における一部領域に偏らせて配置してある排気器具。
【発明の詳細な説明】
【技術分野】
【０００１】
本発明は、室内で発生する汚染空気や蒸気の排出などに用いる排気器具に関し、詳しくは、排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設けてある排気器具に関する。
【背景技術】
【０００２】
この種の排気器具は、図１４に示す如く、補助噴出口１１から噴出した補助気体Ａｓによる周囲域内気体Ａｚの誘引により、排気口２の吸引作用で排気口２へ向かう吸引流ｆｅとその周囲の域内気体Ａｚとの間の境界部（図中、二点鎖線で示す）を吸引流ｆｅとともに排気口２に向かって流れ、その後、排気口２の周縁近傍で吸引流ｆｅから分かれて補助気体Ａｓの噴出流に合流する誘引境界流ｆａを形成するようにしたものである。
【０００３】
すなわち、この誘引境界流ｆａの形成により、補助噴出口１１を備えない図１５に示す如き一般の排気器具（すなわち、吸引流ｆｅの等速線ｎが同心円となる無指向性の器具）に比べ、排気口２を中心とする吸引作用の拡がり角度θｅを制限して排気口２の吸引作用に指向性を与えるとともに、その指向性付与に伴う吸引流ｆｅの風速増大により吸引流中心軸芯ｐｅの方向で排気口２の吸引作用が及ぶ吸引作用距離Ｌｅ（厳密には吸引流ｆｅの風速が所定下限値となる距離）を増大させ、これにより、排気対象域１において局所的に発生する汚染気体や蒸気などの排気対象の局所発生気体Ｇを集中的に効率良く排出するようにしたものである。
【０００４】
したがって、この排気器具によれば、排気口２の必要吸入風量を極力小さくして排気ファンの小型化による設備コスト及び運転コストの低減を可能にしながら、排気対象の局所発生気体Ｇをより確実に排出するようにして局所発生気体Ｇの域内拡散を効果的に防止することができるが、従来、この種の排気器具では、排気口２の周縁近傍に設けた補助噴出口１１から補助気体Ａｓを噴出させるのに、同図１４に示す如く、補助気体Ａｓを排気口２の開口面と平行な方向で排気口外向きに噴出させる構造を採っていた（特許文献１参照）。
【０００５】
【特許文献１】米国特許４，０４３，２５７
【発明の開示】
【発明が解決しようとする課題】
【０００６】
しかし、この排気器具にしても、排気対象である局所発生気体Ｇの発生源と排気口２との位置関係や局所発生気体Ｇの発生形態などの種々の使用条件によって所期の集中排気機能（すなわち、排気対象域１において局所的に発生する汚染気体や蒸気などの排気対象の局所発生気体Ｇを集中的に効率良く排出する機能）を十分に発揮できない場合が多い問題があった。
【０００７】
つまり、この問題について研究の結果、この種の排気器具が所期の集中排気機能を発揮するには、前記した排気口吸引作用の拡がり角度θｅと吸引作用距離Ｌｅとの夫々、さらには、吸引流中心軸芯Ｐｅの向きである吸引作用向き（略言すれば、指向性の向き）が使用条件に適合していることが重要であるとの知見に至ったが、設置上の制約などから排気対象である局所発生気体Ｇの発生源と排気口２との位置関係が設置対象施設によって相違する、あるいはまた、局所発生気体Ｇの発生形態が設置対象施設によって相違するなど、設置対象施設によって使用条件が種々相違する為、単に補助気体Ａｓを排気口２の開口面と平行な方向で排気口外向きに噴出させる従来の構造では、使用条件に適合した排気口吸引作用の拡がり角度θｅ、吸引作用距離Ｌｅ、吸引作用向き（吸引流中心軸芯ｐｅの向き）を得難いことも多く、これが原因で所期の集中排気機能を十分に発揮できない場合が多いことが判明した。
【０００８】
この実情に鑑み、本発明の主たる課題は、上述の知見に基づく合理的な改良により上記問題を効果的に解消する点にある。
【課題を解決するための手段】
【０００９】
〔１〕本発明の第１特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
前記補助噴出口を前記排気口の周方向全体に連続的に又は分散させて配置し、前記排気口の周方向全体について前記補助噴出口の補助気体噴出向きを前記排気口の開口面に対し同じ側へ傾斜させてある点にある。
【００１０】
つまり、補助噴出口を排気口の周方向全体に連続的に又は分散させて配置する構成で、上記の如く排気口の周方向全体について補助噴出口の補助気体噴出向きを排気口の開口面に対し同じ側へ傾斜させれば、その傾斜が気体吸入方向の上手側への傾斜の場合には、補助気体を排気口の開口面と平行な方向で排気口外向きに噴出させる先述の図１４に示す従来構造に比べ、吸引流の風速増大による吸引作用距離Ｌｅの増大を伴う形態で排気口吸引作用の拡がり角度θｅをより小さくする（すなわち、排気口吸引作用の指向性をより強くする）ことができ、また、その傾斜が気体吸入方向の下手側への傾斜の場合には、先述の図１４に示す従来構造に比べ、吸引流の風速減少による吸引作用距離Ｌｅの減少を伴う形態で排気口吸引作用の拡がり角度θｅをより大きくする（すなわち、排気口吸引作用の指向性をより弱くする）ことができ、そして、いずれの場合も、排気口の開口面に対して同じ側へ傾斜させる補助気体噴出向きの傾斜角度を変更すれば、上記拡がり角度θｅや吸引作用距離Ｌｅの増減度合いを変化させ得ることが実験により確認された。
【００１１】
したがって、上記第１特徴構成によれば、先述の従来構造では使用条件に適合した吸引作用拡がり角度θｅ又は吸引作用距離Ｌｅを得難い場合でも、排気口の開口面に対する補助気体噴出向きの傾斜方向及びその傾斜角度を適当に選定することで、局所発生気体の発生源と排気口との位置関係や局所発生気体の発生形態などの使用条件に適合した吸引作用拡がり角度θｅ又は吸引作用距離Ｌｅを得ることができて、前記した所期の集中排気機能（すなわち、排気対象の局所発生気体を集中的に効率良く排出する機能）をより確実かつ良好に発揮させることが可能になり、この点で、この種の排気器具の汎用性や実用性を効果的に高めることができる。
【００１２】
なお、第１特徴構成の実施において、排気口の開口面に対し同じ側に傾斜させる補助気体噴出向きの傾斜角度は、必ずしも排気口周方向の全体について等しい角度にする必要はなく、排気口の開口面に対する傾斜方向さえ同じ側であれば、排気口周方向の各部で補助気体噴出向きの傾斜角度を相違させてもよい。
【００１３】
〔２〕本発明の第２特徴構成は、第１特徴構成の実施に好適な実施形態を特定するものであり、その特徴は、
前記排気口の周方向全体について前記補助噴出口の補助気体噴出向きを、前記排気口の開口面に対し同じ側へ傾斜させる状態と前記排気口の開口面に対し平行にする状態とに切り換え自在にしてある点にある。
【００１４】
つまり、この第２特徴構成によれば、使用条件に適合する吸引作用拡がり角度θｅや吸引作用距離Ｌｅが設置対象施設各々の使用条件の相違によって相違する、あるいはまた、使用条件の変化によって変化することに対し、上記切り換えによる吸引作用拡がり角度θｅ又は吸引作用距離Ｌｅの大小切り換えにより容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００１５】
〔３〕本発明の第３特徴構成は、第１又は第２特徴構成の実施に好適な実施形態を特定するものであり、その特徴は、
前記排気口の周方向全体について前記排気口の開口面に対する前記補助気体噴出向きの傾斜角度を同一方向へ調整自在にしてある点にある。
【００１６】
つまり、この第３特徴構成によれば、第２特徴構成と同様、使用条件に適合する吸引作用拡がり角度θｅや吸引作用距離Ｌｅが設置対象施設各々の使用条件の相違によって相違する、あるいはまた、使用条件の変化によって変化することに対し、上記傾斜角度の同一方向への調整（すなわち、排気口の周方向全体での増大側又は減少側への調整）による吸引作用拡がり角度θｅの増減調整又は吸引作用距離Ｌｅの増減調整により容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００１７】
なお、第３特徴構成の実施において前記第２特徴構成を併行実施すれば、使用条件の相違や変化に対する対応性を一層高めることができて、この種の排気器具の汎用性や実用性をさらに効果的に高めることができる。
【００１８】
〔４〕本発明の第４特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
前記補助噴出口を前記排気口の周方向における一部領域とそれに対向する対向領域とに配置し、前記補助噴出口の補助気体噴出向きを前記排気口の開口面に対し傾斜させるとともに、その傾斜角度を前記一部領域と前記対向領域とで互いに相違させてある点にある。
【００１９】
つまり、補助気体を排気口の開口面と平行な方向で排気口外向きに噴出させる先述の図１４に示す従来構造では、吸引流中心軸芯ｐｅの向きである排気口の吸引作用向き（略言すれば、指向性の向き）が排気口中心軸芯ｐの向きと同じ向きになるが、補助噴出口を排気口の周方向における一部領域とそれに対向する対向領域とに配置する構成において、上記の如く、補助噴出口の補助気体噴出向きを排気口の開口面に対し傾斜させるとともに、その傾斜角度を一部領域と対向領域とで互いに相違させれば、排気口の吸引作用向き（吸引流中心軸芯ｐｅの向き）を排気口の中心軸芯ｐに対し傾けることができ、また、互いに相違させる一部領域及び対向領域における補助気体噴出向きの傾斜角度を変更すれば、排気口の中心軸芯ｐに対する吸引作用向き（吸引流中心軸芯ｐｅの向き）の傾き度合いを変化させ得ることが実験により確認された。
【００２０】
したがって、上記第４特徴構成によれば、先述の従来構造では使用条件に適合した吸引作用向きを得難い場合でも、排気口周方向における一部領域と対向領域とで相違させる補助気体噴出向きの傾斜角度を適当に選定することで、局所発生気体の発生源と排気口との位置関係や局所発生気体の発生形態などの使用条件に適合した吸引作用向きを得ることができて、前記した所期の集中排気機能をより確実かつ良好に発揮させることが可能になり、この点で、この種の排気器具の汎用性や実用性を効果的に高めることができる。
【００２１】
なお、第４特徴構成の実施においては、排気口の周方向において一部領域と対向領域との間の領域にも補助排気口を設ける構成、あるいは、排気口の周方向において一部領域と対向領域との間の領域については補助排気口を設けない構成、あるいはまた、排気口の周方向全体を一部領域と対向領域とで２分する形態で、それら一部領域と対向領域とに補助排気口を設ける構成のいずれを採ってもよい。
【００２２】
また、第４特徴構成の実施において、排気口の開口面に対する補助気体噴出向きの傾斜角度を互いに相違させる一部領域と対向領域は、必ずしも排気口の中心軸芯方向視において互いに正対する領域に限られるものではなく、互いに斜め向きに対向する領域であってもよい。
【００２３】
〔５〕本発明の第５特徴構成は、第４特徴構成の実施に好適な実施形態を特定するものであり、その特徴は、
前記一部領域と前記対向領域との少なくとも一方について前記補助噴出口の補助気体噴出向きを、前記排気口の開口面に対し傾斜させる状態と前記排気口の開口面に対し平行にする状態とに切り換え自在にしてある点にある。
【００２４】
つまり、この第５特徴構成によれば、使用条件に適合する吸引作用向きが設置対象施設各々の使用条件の相違によって相違する、あるいはまた、使用条件の変化によって変化することに対し、上記切り換えによる吸引作用向きの切り換えにより容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００２５】
〔６〕本発明の第６特徴構成は、第４又は第５特徴構成の実施に好適な実施形態を特定するものであり、その特徴は、
前記一部領域と前記対向領域との少なくとも一方について前記排気口の開口面に対する前記補助気体噴出向きの傾斜角度を調整自在にしてある点にある。
【００２６】
つまり、この第６特徴構成によれば、第５特徴構成と同様、使用条件に適合する吸引作用向きが設置対象施設各々の使用条件の相違によって相違する、あるいはまた、使用条件の変化によって変化することに対し、上記傾斜角度の調整による吸引作用向きの調整により容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００２７】
なお、第６特徴構成の実施において前記第５特徴構成を併行実施すれば、使用条件の相違や変化に対する対応性を一層高めることができて、この種の排気器具の汎用性や実用性をさらに効果的に高めることができる。
【００２８】
〔７〕本発明の第７特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
前記補助噴出口を前記排気口の周方向全体に連続的に又は分散させて配置し、前記排気口の周方向全体について前記補助噴出口の補助気体噴出風量又は補助気体噴出速度を同一方向へ調整自在にしてある点にある。
【００２９】
つまり、補助噴出口を排気口の周方向全体に連続的に又は分散させて配置する構成で、上記の如く排気口の周方向全体について補助噴出口の補助気体噴出風量又は補助気体噴出速度を同一方向へ調整（すなわち、排気口の周方向全体について増大側又は減少側へ調整）すれば、その調整が増大側への調整の場合には、吸引流の風速増大による吸引作用距離Ｌｅの増大を伴う形態で排気口吸引作用の拡がり角度θｅを減少（すなわち、排気口吸引作用の指向性を向上）させることができ、また、その調整が減少側への調整の場合には、吸引流の風速減少による吸引作用距離Ｌｅの減少を伴う形態で排気口吸引作用の拡がり角度θｅを増大（すなわち、排気口吸引作用の指向性を低下）させ得ることが実験により確認された。
【００３０】
したがって、上記第７特徴構成によれば、先述の図１４に示す従来構造では使用条件に適合した吸引作用拡がり角度θｅ又は吸引作用距離Ｌｅを得難い場合でも、排気口の周方向全体についての補助気体噴出風量又は補助気体噴出速度の同一方向への調整による吸引作用拡がり角度θｅの増減調整又は吸引作用距離Ｌｅの増減調整により、局所発生気体の発生源と排気口との位置関係や局所発生気体の発生形態などの使用条件に適合した吸引作用拡がり角度θｅ又は吸引作用距離Ｌｅを容易に得ることができて、前記した所期の集中排気機能（すなわち、排気対象の局所発生気体を集中的に効率良く排出する機能）をより確実かつ良好に発揮させることが可能になり、この点で、この種の排気器具の汎用性や実用性を効果的に高めることができる。
【００３１】
なお、第７特徴構成の実施において、補助噴出口の補助気体噴出風量又は補助気体噴出速度は、必ずしも排気口の周方向全体について均等な風量又は均等な風速にする必要はなく、排気口の周方向全体について同一方向へ調整自在にさえすれば、排気口周方向の各部で補助気体噴出風量又は補助気体噴出速度を相違させてもよい。
【００３２】
〔８〕本発明の第８特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
前記補助噴出口を前記排気口の周方向における一部領域とそれに対向する対向領域とに配置し、前記補助噴出口の補助気体噴出風量又は補助気体噴出速度を前記一部領域と前記対向領域とで互いに相違させてある点にある。
【００３３】
つまり、補助噴出口を排気口の周方向における一部領域とそれに対向する対向領域とに配置する構成において、上記の如く、補助噴出口の補助気体噴出風量又は補助気体噴出速度を一部領域と対向領域とで互いに相違させれば、吸引流中心軸芯ｐｅの向きである排気口の吸引作用向き（略言すれば、指向性の向き）を排気口の中心軸芯ｐに対し傾けることができ、また、互いに相違させる一部領域及び対向領域における補助気体噴出風量又は補助気体噴出速度を変更すれば、排気口の中心軸芯ｐに対する吸引作用向き（吸引流中心軸芯ｐｅの向き）の傾き度合いを変化させ得ることが実験により確認された。
【００３４】
したがって、上記第８特徴構成によれば、先述の図１４に示す従来構造では使用条件に適合した吸引作用向きを得難い場合でも、排気口周方向における一部領域と対向領域とで相違させる補助気体噴出風量又は補助気体噴出速度を適当に選定することで、局所発生気体の発生源と排気口との位置関係や局所発生気体の発生形態などの使用条件に適合した吸引作用向きを得ることができて、前記した所期の集中排気機能をより確実かつ良好に発揮させることが可能になり、この点で、この種の排気器具の汎用性や実用性を効果的に高めることができる。
【００３５】
なお、第８特徴構成の実施においては、第４特徴構成と同様、排気口の周方向において一部領域と対向領域との間の領域にも補助排気口を設ける構成、あるいは、排気口の周方向において一部領域と対向領域との間の領域については補助排気口を設けない構成、あるいはまた、排気口の周方向全体を一部領域と対向領域とで２分する形態で、それら一部領域と対向領域とに補助排気口を設ける構成のいずれを採ってもよい。
【００３６】
また、第８特徴構成の実施において、補助気体噴出風量又は補助気体噴出速度を互いに相違させる一部領域と対向領域は、必ずしも排気口の中心軸芯方向視において互いに正対する領域に限られるものではなく、互いに斜め向きに対向する領域であってもよい。
【００３７】
〔９〕本発明の第９特徴構成は、第８特徴構成の実施に好適な実施形態を特定するものであり、その特徴は、
前記補助噴出口の補助気体噴出風量又は補助気体噴出速度を、前記一部領域と前記対向領域とで互いに相違させる状態と互いに等しくする状態とに切り換え自在にしてある点にある。
【００３８】
つまり、この第９特徴構成によれば、使用条件に適合する吸引作用向きが設置対象施設各々の使用条件の相違によって相違する、あるいはまた、使用条件の変化によって変化することに対し、上記切り換えによる吸引作用向きの切り換えにより容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００３９】
〔１０〕本発明の第１０特徴構成は、第８又は第９特徴構成の実施に好適な実施形態を特定するものであり、その特徴は、
前記一部領域と前記対向領域との少なくとも一方について前記補助噴出口の補助気体噴出風量又は補助気体噴出速度を調整自在にしてある点にある。
【００４０】
つまり、この第１０特徴構成によれば、第９特徴構成と同様、使用条件に適合する吸引作用向きが設置対象施設各々の使用条件の相違によって相違する、あるいはまた、使用条件の変化によって変化することに対し、上記補助気体噴出風量又は補助気体噴出速度の調整による吸引作用向きの調整により容易に対応することができて、それら使用条件の相違や変化にかかわらず所期の集中排気機能をより確実かつ良好に発揮させることができ、この点で、この種の排気器具の汎用性や実用性を一層効果的に高めることができる。
【００４１】
なお、第１０特徴構成の実施において前記第９特徴構成を併行実施すれば、使用条件の相違や変化に対する対応性を一層高めることができて、この種の排気器具の汎用性や実用性をさらに効果的に高めることができる。
【００４２】
〔１１〕本発明の第１１特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
多数の前記補助噴出口を前記排気口の周方向全体に分散させて配置し、前記補助噴出口各々の補助気体噴出向きを前記排気口の開口面に対する垂直方向へ個別に調整自在にしてある、又は、前記補助噴出口各々の補助気体噴出風量又は補助気体噴出速度を個別に調整自在にしてある点にある。
【００４３】
つまり、この第１１特徴構成の実施において、排気口の周方向全体に分散させて配置した補助噴出口各々の補助気体噴出向きを排気口の開口面に対する垂直方向（すなわち、排気口の開口面に対して傾斜させる方向）へ個別に調整自在にする場合、排気口の周方向全体について補助噴出口の補助気体噴出向きを排気口の開口面に対し同じ側へ傾斜させるように補助噴出口各々の補助気体噴出向きを個別調整すれば、前述した第１特徴構成による機能を得ることができ、また、排気口の周方向における一部領域とそれに対向する対向領域とで互いに傾斜角度を相違させて補助噴出口の補助気体噴出向きを排気口の開口面に対し傾斜させるように補助噴出口各々の補助気体噴出向きを個別調整すれば、前述した第４特徴構成の機能を得ることができる。
【００４４】
一方、上記第１１特徴構成の実施において、排気口の周方向全体に分散させて配置した補助噴出口各々の補助気体噴出風量又は補助気体噴出速度を個別に調整自在にする場合、排気口の周方向全体について補助噴出口の補助気体噴出風量又は補助気体噴出速度を同一方向へ変更するように補助噴出口各々の補助気体噴出風量又は補助気体噴出速度を個別調整すれば、前述した第７特徴構成による機能を得ることができ、また、排気口の周方向における一部領域とそれに対向する対向領域とで補助噴出口の補助気体噴出風量又は補助気体噴出速度を相違させるように補助噴出口各々の補助気体噴出風量又は補助気体噴出速度を個別調整すれば、前述した第８特徴構成の機能を得ることができる。
【００４５】
すなわち、この第１１特徴構成によれば、排気対象である局所発生気体の発生源と排気口との位置関係や局所発生気体の発生形態などの使用条件の相違や変化にかかわらず、使用条件に適合した吸引作用拡がり角度θｅ、又は、吸引作用距離Ｌｅ、又は、吸引作用向き（吸引流中心軸芯ｐｅの向き）を上記の如き個別調整により容易に得ることができて、所期の集中排気機能をより確実かつ良好に発揮させることが可能な機能性に極めて優れた排気器具にすることができ、この点で、この種の排気器具の汎用性や実用性を極めて効果的に高めることができる。
【００４６】
〔１２〕本発明の第１２特徴構成は排気器具に係り、その特徴は、
排気対象域に開口させた状態で排気対象域の域内気体を吸入させる排気口を形成するとともに、排気対象域に対して補助気体を前記排気口の周縁近傍から排気口の開口面に沿う方向で排気口外向きに噴出させる補助噴出口を設ける構成において、
前記補助噴出口を前記排気口の周方向における一部領域に偏らせて配置してある点にある。
【００４７】
つまり、先述の図１４に示す従来構造では吸引流中心軸芯ｐｅの向きである排気口の吸引作用向き（略言すれば、指向性の向き）が排気口中心軸芯ｐの向きと同じ向きになるが、補助噴出口を排気口の周方向における一部領域に偏らせて配置すれば、補助気体噴出流による周囲域内気体の誘引で形成される前記誘引境界流ｆａが一部領域の側でのみ形成されることで、吸引流中心軸芯ｐｅの向きである排気口の吸引作用向きを排気口の中心軸芯ｐに対し一部領域とは反対側へ傾けることができ、また、その傾斜角度を変更すれば、排気口の中心軸芯ｐに対する吸引作用向き（吸引流中心軸芯ｐｅの向き）の傾き度合いを変化させ得ることが実験により確認された。
【００４８】
したがって、上記第１２特徴構成によれば、先述の従来構造では使用条件に適合した吸引作用向きを得難い場合でも、排気口の周方向において補助噴出口を偏らせて配置する一部領域を適当に選定することで、局所発生気体の発生源と排気口との位置関係や局所発生気体の発生形態などの使用条件に適合した吸引作用向きを得ることができて、前記した所期の集中排気機能をより確実かつ良好に発揮させることが可能になり、この点で、この種の排気器具の汎用性や実用性を効果的に高めることができる。
【００４９】
なお、第１２特徴構成の実施においては、一部領域に偏らせて配置する補助噴出口の補助気体噴出向きを排気口の開口面に対して平行にする構成、あるいは、一部領域の全体について排気口の開口面に対し同じ側に傾斜させる構成のいずれを採ってもよい。
【００５０】
また、一部領域に偏らせて配置する補助噴出口の補助気体噴出向きを一部領域の全体について排気口の開口面に対し同じ側に傾斜させる状態と排気口の開口面に対し平行にする状態とに切り換え自在にしたり、排気口の開口面に対する補助気体噴出向きの傾斜角度を一部領域の全体について同一方向へ調整自在にしたりし、これにより、使用条件の相違や変化に対する対応性を更に高めるようにしてもよい。
【００５１】
あるいはまた、一部領域に偏らせて配置する補助噴出口の補助気体噴出風量又は補助気体噴出速度を一部領域の全体について同一方向へ調整自在にし、このことで、使用条件の相違や変化に対する対応性を更に高めるようにしてもよい。
【００５２】
さらに、第１〜第１２特徴構成のいずれかの実施において、排気対象域は閉じられた空間あるいは開放された空間のいずれであってもよく、また、その用途もどのようなものであってもよい。
【００５３】
第１〜第１２特徴構成のいずれかの実施において、排気対象域の域内気体及び排気対象の局所発生気体は空気を初めどのような気体であってもよく、また、補助噴出口から噴出させる補助気体は清浄な気体であることが望ましいが、特定気体のみを排気対象域から排除すればよい場合などでは、その特定気体以外の気体であれば、種々の気体を補助気体として用いることができる。
【００５４】
第１〜第１２特徴構成のいずれかの実施において、排気口の外周形状は円形、四角形、楕円形、ライン状の偏平長方形など、どのようなものであってもよく、また、補助噴出口を形成する具体的構造もどのようなものであってもよい。
【００５５】
そしてまた、第１、第４、第７、第８特徴構成の実施においては、それら４つの特徴構成のうちの複数を組み合わせて併行実施するようにしてもよい。
【発明を実施するための最良の形態】
【００５６】
〔第１実施形態〕
図１，図２は工場や厨房あるいはオフィスや喫煙所の換気などに用いる排気器具を示し、この排気器具は先端側の開口を排気対象域１に対して臨ませる排気口２とし、かつ、後端側の開口を排気ダクト３の接続口とする排気筒４を基体としており、この排気筒４には、その先端から排気口２の開口面に沿う方向で排気口２の外方へ延出する表側案内板５、及び、排気筒４の先端部の外側に補助空気室６を形成する囲壁７の夫々を排気口２の周方向全体にわたらせて設けてある。
【００５７】
囲壁７には、その先端から排気口２の開口面に沿う方向で排気口２の外方へ延出する裏側案内板８を排気口２の周方向全体にわたらせて設けるとともに、空気供給管９を接続する接続口１０を形成してあり、この接続口１０に接続した空気供給管９を通じて清浄な補助空気Ａｓを補助空気室６に供給する。
【００５８】
表側案内板５と裏側案内板８とは両者の間に隙間を有する平行姿勢ないし平行に近い姿勢にしてあり、これら案内板５，８の先端縁どうしの間に形成される環状のスリット開口（すなわち、排気口２の周方向全体にわたるスリット開口）を補助空気噴出用の補助噴出口１１にしてある。
【００５９】
排気筒４に接続する排気ダクト３は排気ファンの吸入口から延設したものであり、この排気器具では、排気ファンの運転により排気対象域１の域内空気Ａｚを排気口２から吸入させ、これに平行して補助空気室６に供給される補助空気Ａｓを両案内板５，８の間の隙間経路を通じて補助噴出口１１から排気口２の開口面に沿う方向で排気口外向きに（すなわち、放射状に）、かつ、排気口２の周方向全体について均等な噴出風量及び均等な噴出速度ｖｓで噴出させる。
【００６０】
また、表側案内板５及び裏側案内板８は先端側ほど排気口２の気体吸入方向における上手側に位置する先下がりの傾斜姿勢にしてあり、これにより、補助噴出口１１の補助空気噴出向きを排気口２の開口面に対して排気口２の気体吸入方向における上手側へ所定の傾斜角度θｓだけ傾斜させるようにしてある。
【００６１】
この排気器具は、排気対象域１において排気対象である汚染空気や蒸気などが局所的に発生することに対し、その局所発生気体Ｇの発生源に排気口２を向けた状態で排気対象域１の天井などに設置し、この設置状態において上記の如く排気口２から域内空気Ａｚを吸入させるとともに補助噴出口１１から補助空気Ａｓを噴出させることで、補助空気Ａｓの噴出流による周囲域内空気Ａｚの誘引により、排気口２の吸引作用で排気口２へ向かう吸引流ｆｅとその周囲の域内空気Ａｚとの間の境界部（図中、二点鎖線で示す）を吸引流ｆｅとともに排気口２に向かって流れ、その後、排気口２の周縁近傍で吸引流ｆｅから離れて補助気体Ａｓの噴出流に合流する誘引境界流ｆａを形成する。
【００６２】
そして、この誘引境界流ｆａの形成により、図１５に示す如き補助噴出口１１を備えない一般の排気器具に比べ、排気口２を中心とする排気口吸引作用の拡がり角度θｅを制限して排気口２の吸引作用に指向性を与えるとともに、その指向性付与に伴う吸引流風速ｖｅの増大により吸引流中心軸芯ｐｅの方向（本例では排気口中心軸芯ｐの方向と同じ方向）で排気口２の吸引作用が及ぶ吸引作用距離Ｌｅを増大させ、これにより、排気対象の局所発生気体Ｇを集中的に効率良く排気対象域１から排出して、局所発生気体Ｇの域内拡散を効果的に防止する。
【００６３】
また、前述の如く補助噴出口１１の補助空気噴出向きを排気口２の開口面に対し排気口２の気体吸入方向における上手側へ傾斜させることにより、図１４に示す如く補助空気Ａｓを排気口２の開口面と平行な方向（すなわち、θｓ＝０°）で排気口外向きに噴出するのに比べ、吸引作用の拡がり角度θｅを一層小さな角度に制限（θ１＜θ２）するとともに、それに伴い吸引作用距離Ｌｅを一層増大（Ｌ１＞Ｌ２）させて、局所発生気体Ｇの発生源と排気口２との位置関係や局所発生気体Ｇの発生形態などの使用条件に対し吸引作用の拡がり角度θｅや吸引作用距離Ｌｅを一層適合させるようにし、これにより、局所発生気体Ｇを集中的に効率良く排出する集中排気機能を一層確実かつ良好に発揮させるようにしてある。
【００６４】
なお、各図において、ｎは吸引流ｆｅの等速線である。
【００６５】
上記の例では、円形排気口２の周方向全体について補助噴出口１１を連続的に設ける場合を示したが、図３に示す如く排気口２が偏平な長方形である排気器具において、その排気口２の両長辺部夫々に補助噴出口１１を各長辺部の全長にわたらせる状態で設け、これら長辺部に設けた補助噴出口１１の補助空気噴出向きを図１の如く排気口２の開口面に対し排気口２の気体吸入方向における上手側へ傾斜させる構造にしてもよい。
【００６６】
また、補助噴出口１１を排気口２の周方向全体に連続的に又は分散させて設ける構成で、上記の如く排気口２の周方向全体について補助噴出口１１の補助空気噴出向きを排気口２の開口面に対し同じ側（上記例では気体吸入方向の上手側）に傾斜させる形態を採ることにおいて、図４に示す如く傾斜板１２を補助噴出口１１に対し対向させる図４（イ）に示す状態と補助噴出口１１に対して非対向にする図４（ロ）に示す状態とに切り換えるなどの切り換え手段により、排気口２の周方向全体について補助噴出口１１の補助空気噴出向きを排気口２の開口面に対し同じ側に傾斜させる状態と排気口２の開口面に対し平行にする状態とに切り換え自在にし、これにより、使用条件の相違や変化に対する対応性を一層高めるようにしてもよい。
【００６７】
あるいはまた、図５に示す如く補助噴出口１１に設けた風向調整板１３の傾斜角度を調整するなどの調整手段により、排気口２の開口面に対する補助空気噴出向きの傾斜角度θｓを排気口２の周方向全体について同一方向へ調整自在にし、このことで、使用条件の相違や変化に対する対応性を一層高めるようにしてもよい。
【００６８】
〔第２実施形態〕
図６は第１実施形態で示した排気器具の一部に構成変更を加えた排気器具を示し、この排気器具では、円形や長方形などの各種形状の排気口２について、排気口２の開口面に沿う方向で排気口外向きに補助空気Ａｓを噴出する補助噴出口１１を排気口２の周方向における一部領域Ｒａとそれに対向する対向領域Ｒｂとに配置し、これら補助噴出口１１の補助空気噴出向きを排気口２の開口面に対し傾斜させるのに、その傾斜角度θｓを一部領域Ｒａと対向領域Ｒｂとで互いに相違（θａ≠θｂ）させてある。
【００６９】
つまり、一部領域Ｒａ及び対向領域Ｒｂにおける補助空気噴出向きの傾斜角度θｓを等しくする場合（例えば前述した図１４や図１を参照）では、吸引流中心軸芯ｐｅの向きである排気口２の吸引作用向きが排気口中心軸芯ｐの向きと同じ向きになるが、上記の如く補助空気噴出向きの傾斜角度θｓを一部領域Ｒａと対向領域Ｒｂとで相違させることにより、排気口２の吸引作用向き（吸引流中心軸芯ｐｅの向き）を排気口２の中心軸芯ｐに対して傾けるようにしてあり、これにより、排気対象である局所発生気体Ｇの発生源と排気口２との位置関係や局所発生気体Ｇの発生形態などの使用条件に対し排気口２の吸引作用向きを適合させて、所期の集中排気機能を確実かつ良好に発揮させる。
【００７０】
なお、補助噴出口１１を排気口２の周方向における一部領域Ｒａとそれに対向する対向領域Ｒｂとに設ける構成で、上記の如く、排気口２の開口面に対する補助空気噴出向きの傾斜角度θｓを一部領域Ｒａと対向領域Ｒｂとで互いに相違させる形態を採ることにおいて、それら一部領域Ｒａと対向領域Ｒｂとの少なくとも一方について、補助噴出口１１の補助空気噴出向きを前述の図４に示す切り換え手段などにより、排気口２の開口面に対し傾斜させる状態と排気口２の開口面に対し平行にする状態とに切り換え自在にし、これにより、使用条件の相違や変化に対する対応性を一層高めるようにしてもよい。
【００７１】
また、一部領域Ｒａと対向領域Ｒｂとの少なくとも一方について、排気口２の開口面に対する補助空気噴出向きの傾斜角度θｓを前述の図５に示す調整手段などにより調整自在にし、このことで、使用条件の相違や変化に対する対応性を一層高めるようにしてもよい。
【００７２】
〔第３実施形態〕
図７は補助噴出口１１を排気口２の周方向全体に連続的に又は分散させて設ける構成で、その補助噴出口１１から補助空気Ａｓを図１４に示す排気器具と同様、排気口２の開口面と平行な方向で排気口外向きに、かつ、排気口２の周方向全体について均等な噴出風量及び均等な噴出速度ｖｓで噴出させる排気器具を示すが、この排気器具では、空気供給管９の接続口１０に設けたダンパ１４の開度調整により補助空気室６に対する補助空気供給量を調整するなどの調整手段をもって、補助噴出口１１の補助空気噴出風量び補助空気噴出速度ｖｓを排気口２の周方向全体について同一方向（すなわち、増大方向又は減少方向）へ調整自在にしてある。
【００７３】
つまり、この排気器具では、補助噴出口１１の補助空気噴出向きを排気口２の開口面に対し同じ側に傾斜させるのに代え、同図７（イ）に示す如く補助噴出口１１の補助空気噴出風量及び補助空気噴出速度ｖｓを排気口２の周方向全体について一律に増大側へ調整することで、補助空気噴出流の周囲域内空気Ａｚに対する誘引作用を排気口２の周方向全体で一律に増大させて、吸引作用距離Ｌｅの増大を伴う形態で排気口吸引作用の拡がり角度θｅを縮小側に調整し、また、同図７（ロ）に示す如く補助噴出口１１の補助空気噴出風量及び補助空気噴出速度ｖｓを排気口２の周方向全体について一律に減少側へ調整することで、補助空気噴出流の周囲域内空気Ａｚに対する誘引作用を排気口２の周方向全体で一律に低下させて、吸引作用距離Ｌｅの減少を伴う形態で排気口吸引作用の拡がり角度θｅを増大側に調整（ｖ３＞ｖ４，θ３＜θ４，Ｌ３＞Ｌ４）し、このような調整により、局所発生気体Ｇの発生源と排気口２との位置関係や局所発生気体Ｇの発生形態などの使用条件に対し吸引作用の拡がり角度θｅや吸引作用距離Ｌｅを適合させることで、所期の集中排気機能を確実かつ良好に発揮させる。
【００７４】
なお、上記例では、補助噴出口１１の補助空気噴出向きを排気口２の周方向全体について排気口２の開口面と平行にする構成で、補助噴出口１１の補助空気噴流風量や補助空気噴出速度ｖｓを排気口２の周方向全体について同一方向に調整自在にしたが、補助噴出口１１の補助空気噴出向きを例えば図１に示す如く排気口２の開口面に対し排気口２の周方向全体について同じ側に傾斜させる構成で、補助噴出口１１の補助空気噴流風量又は補助空気噴出速度ｖｓを排気口２の周方向全体について同一方向に調整自在にする構成を採ってもよい。
【００７５】
〔第４実施形態〕
図８は円形や長方形などの各種形状の排気口２について補助噴出口１１を排気口２の周方向における一部領域Ｒａとそれに対向する対向領域Ｒｂとに配置する構成で、それら補助噴出口１１から補助空気Ａｓを図１４に示す排気器具と同様、排気口２の開口面と平行な方向で排気口外向きに噴出させる排気器具を示すが、この排気器具では、一部領域Ｒａと対向領域Ｒｂとの少なくとも一方について補助噴出口１１への補助空気送出経路に通気抵抗部材１５を装備するなどの手段をもって、補助噴出口１１の補助空気噴出風量及び補助空気噴出速度ｖｓを一部領域Ｒａと対向領域Ｒｂとで互いに相違（ｖａ≠ｖｂ）させてある。
【００７６】
つまり、上記の如く補助噴出口１１の補助空気噴出風量及び補助空気噴出速度ｖｓを一部領域Ｒａと対向領域Ｒｂとで互いに相違させることにより、補助気体噴出流の周囲域内空気Ａｚに対する誘引作用の強さを一部領域Ｒａの側と対向領域Ｒｂの側とで相違させて、排気口２の吸引作用向き（吸引流中心軸芯ｐｅの向き）を排気口２の中心軸芯ｐに対して傾けるようにしてあり、これにより、排気対象である局所発生気体Ｇの発生源と排気口２との位置関係や局所発生気体Ｇの発生形態などの使用条件に対し排気口２の吸引作用向きを適合させて、所期の集中排気機能を確実かつ良好に発揮させる。
【００７７】
なお、補助噴出口１１を排気口２の周方向における一部領域Ｒａとそれに対向する対向領域Ｒｂとに設ける構成で、上記の如く、補助噴出口１１の補助空気噴出風量又は補助空気噴出速度ｖｓを一部領域Ｒａと対向領域Ｒｂとで相違させる形態を採ることにおいて、例えば通気抵抗部材１５を作用状態と非作用状態とに切り換えるなどの切り換え手段により、補助噴出口１１の補助空気噴出風量又は補助空気噴出速度ｖｓを一部領域Ｒａと対向領域Ｒｂとで互いに相違させる状態と互いに等しくする状態とに切り換え自在にし、これにより、使用条件の相違や変化に対する対応性を一層高めるようにしてもよい。
【００７８】
また、例えば通気抵抗部材１５による通気抵抗を増減調整するなどの調整手段により、一部領域Ｒａと対向領域Ｒｂとの少なくとも一方について補助噴出口１１の補助空気噴出風量又は補助空気噴出速度ｖｓを調整自在し、このことで、使用条件の相違や変化に対する対応性を一層高めるようにしてもよい。
【００７９】
〔第５実施形態〕
図９，図１０は、補助空気Ａｓを排気口２の開口面に沿う方向で排気口外向きに噴出する多数の補助噴出口１１を排気口２の周方向全体に分散させて配置した排気器具を示し、この排気器具では、各補助噴出口１１を形成するノズル１６の向き調整により補助噴出口１１各々の補助空気噴出向きを排気口２の開口面に対する垂直方向へ個別に調整自在にしてある。
【００８０】
つまり、上記の如き補助空気噴出向きの個別調整により、補助空気噴出向きを排気口２の周方向全体について排気口２の開口面に対し例えば前述の図１に示す如く同じ側に傾斜させて排気口吸引作用の拡がり角度θｅや吸引作用距離Ｌｅを調整するといったことや、排気口２の開口面に対する補助空気噴出向きの傾斜角度θｓを例えば前述の図６に示す如く排気口２の周方向における一部領域Ｒａと対向領域Ｒｂとで互い相違させて排気口２の吸引作用向き（吸引流中心軸芯ｐｅの向き）を排気口２の中心軸芯ｐに対し傾けるといったことを可能にし、これにより、使用条件の相違や変化に対する対応性を一層効果的に高めるようにしてある。
【００８１】
〔第６実施形態〕
図１１，図１２は、補助空気Ａｓを排気口２の開口面と平行な方向で排気口外向きに噴出する多数の補助噴出口１１を排気口２の周方向全体に分散させて配置した排気器具を示し、この排気器具では、各補助噴出口１１を形成するノズル１６に設けた弁１７による風量調整などにより補助噴出口１１各々の補助空気噴出風量及び補助空気噴出速度ｖｓを個別に調整自在にしてある。
【００８２】
つまり、第５実施形態の排気器具と同様、この排気器具では、上記の如き補助空気噴出風量及び補助空気噴出速度ｖｓの個別調整により、補助空気噴出風量及び補助空気噴出速度ｖｓを例えば前述の図７に示す如く排気口２の周方向全体について同一方向に増減調整して排気口吸引作用の拡がり角度θｅや吸引作用距離Ｌｅを調整するといったことや、補助空気噴出風量及び補助空気噴出速度ｖｓを例えば前述の図８に示す如く排気口２の周方向における一部領域Ｒａと対向領域Ｒｂとで互い相違させて排気口２の吸引作用向き（吸引流中心軸芯ｐｅの向き）を排気口２の中心軸芯ｐに対し傾けるといったことを可能にし、これにより、使用条件の相違や変化に対する対応性を一層効果的に高めるようにしてある。
【００８３】
〔第７実施形態〕
図１３に示す排気器具では補助噴出口１１を排気口２の周方向における一部領域Ｒｃに偏らせて配置してある。
【００８４】
つまり、このように補助噴出口１１を偏らせて配置することで、補助空気Ａｓの噴出流による周囲域内空気Ａｚの誘引を一部領域Ｒｃの側でのみ生じさせて、前述の誘引境界流ｆａを一部領域Ｒｃの側にのみ形成し、これにより、排気口２の吸引作用向き（すなわち、吸引流中心軸芯ｐｅの向き）を排気口２の中心軸芯ｐに対し一部領域Ｒｃとは反対側へ傾けて、使用条件に適合した吸引作用向きを得るようにしてある。
【００８５】
なお、上記例では、排気口２の周方向における一部領域Ｒｃに偏らせて配置する補助噴出口１１の補助空気噴出向きを一部領域Ｒｃの全体について排気口２の開口面に対し同じ側に傾斜させる構成にしたが、一部領域Ｒｃに偏らせて配置する補助噴出口１１の補助空気噴出向きを排気口２の開口面と平行な向きにしてもよい。
【００８６】
また、一部領域Ｒｃに偏らせて配置する補助噴出口１１の補助空気噴出向きを一部領域Ｒｃの全体について排気口２の開口面に対し同じ側に傾斜させる状態と排気口２の開口面に対し平行にする状態とに切り換え自在にしたり、排気口２の開口面に対する補助空気噴出向きの傾斜角度θｓを一部領域Ｒｃの全体について同一方向へ調整自在にしたりし、これにより、使用条件の相違や変化に対する対応性を一層高めるようにしてもよい。
【００８７】
あるいはまた、一部領域Ｒｃに偏らせて配置する補助噴出口１１の補助空気噴出風量又は補助空気噴出速度ｖｓを一部領域Ｒｃの全体について同一方向へ調整自在にし、このことで、使用条件の相違や変化に対する対応性を一層高めるようにしてもよい。
【産業上の利用可能性】
【００８８】
工場、厨房、オフィスビル、喫煙所、実験施設など、種々の施設において局所的に発生する種々の気体を集中的に排出するのに使用することができる。
【図面の簡単な説明】
【００８９】
【図１】第１実施形態を示す側面視断面図
【図２】第１実施形態を示す平面図
【図３】変形例を示す平面図
【図４】変形例を示す側面視断面図
【図５】変形例を示す側面視断面図
【図６】第２実施形態を示す側面視断面図
【図７】第３実施形態を示す側面視断面図
【図８】第４実施形態を示す側面視断面図
【図９】第５実施形態を示す側面視断面図
【図１０】第５実施形態を示す平面図
【図１１】第６実施形態を示す側面視断面図
【図１２】第６実施形態を示す平面図
【図１３】第７実施形態を示す側面視断面図
【図１４】従来構造を示す側面視断面図
【図１５】一般の排気器具を示す側面視断面図
【符号の説明】
【００９０】
１        排気対象域
Ａｚ      域内気体
２        排気口
Ａｓ      補助気体
１１      補助噴出口
θｓ      補助気体噴出向きの傾斜角度
Ｒａ      一部領域
Ｒｂ      対向領域
ｖｓ      補助気体噴出速度
Ｒｃ      一部領域
【図１】
2007100978.tif 000003
【図２】
2007100978.tif 000004
【図３】
2007100978.tif 000005
【図４】
2007100978.tif 000006
【図５】
2007100978.tif 000007
【図６】
2007100978.tif 000008
【図７】
2007100978.tif 000009
【図８】
2007100978.tif 000010
【図９】
2007100978.tif 000011
【図１０】
2007100978.tif 000012
【図１１】
2007100978.tif 000013
【図１２】
2007100978.tif 000014
【図１３】
2007100978.tif 000015
【図１４】
2007100978.tif 000016
【図１５】
2007100978.tif 000017